(57)【要約】【課題】様々な状況に応じて表示板の表示内容を視認しやすくすることができるサインを提供する。【解決手段】支柱１と表示板２とが取付ボルト３により固定され、その取付ボルト３を水平軸として表示板２を回動させて表示板２の表示面を視認するのに最適な角度とできるが、更に取付溝４により取付金具５が上下方向に摺動可能となされていることで、表示板２が取り付けられる高さをも任意のものとして、様々な状況に応じて表示板の表示内容を視認しやすくすることができる。【選択図】        図１
2008256944.tif 000002
【特許請求の範囲】
【請求項１】
側面に蟻溝状の取付溝が設けられた支柱を用い、該支柱が二体用いられると共に各々の取付溝が相対向されて配置された支柱間に表示板が設けられたサインであって、前記取付溝は上下方向に同一断面の形状により延設され、該取付溝の上下方向に摺動可能に挿入された取付金具に挿通された取付ボルトにより前記支柱間より幅狭な表示板が取り付けられると共に、該取付ボルトを水平軸として前記表示板が回動可能となされていることを特徴とするサイン。
【請求項２】
前記支柱は、横長の形状となされ、該横長の先端部分に取付溝が設けられていることを特徴とする請求項１に記載のサイン。
【発明の詳細な説明】
【技術分野】
【０００１】
本発明は、支柱に対し水平軸を中心として回動可能に表示板が取り付けられたサインに関するものである。
【背景技術】
【０００２】
支柱に対し、支柱に対し水平軸を中心として種々の角度にて回動可能に表示板を取付可能とするにおいては、例えば片持梁状のアーム部材５と、該アーム部材５の先端部に取着されると共にサインポール１が固着される取付部材６と、を備え、該取付部材６を上記アーム部材５に軸部材13を介して水平軸心Ｍ廻りに揺動可能に保持させ、上記取付部材６は上記水平軸心Ｍを中心とする円弧上に傾斜角度固定用の複数のねじ孔16…を有し、上記アーム部材５に取付部材６のねじ孔16…に連通可能なボルト挿通孔17…を形成し、該ボルト挿通孔17にボルト部材18を挿通させると共に該ボルト部材18を上記ねじ孔16に択一的に螺入させて上記取付部材６の傾斜角度を複数段階に調整可能としたサインポール取付具が開示されている（例えば特許文献１）。
【０００３】
【特許文献１】特開平１１−３８９１９号公報
【発明の開示】
【発明が解決しようとする課題】
【０００４】
しかしながら、特許文献１に記載のような取付具を用いて形成した従来のサインでは、水平軸を中心に回動可能ではあるものの、表示板の表示内容を視認しやすくするには水平軸を中心として角度調整を行う位しか方法がなく、様々な状況に応じて表示板の表示内容を視認しやすくするのが困難なものであった。
【０００５】
本発明は上記の如き課題に鑑みてなされたものであり、様々な状況に応じて表示板の表示内容を視認しやすくすることができるサインを提供せんとするものである。
【課題を解決するための手段】
【０００６】
上記目的を達成するため、本発明は以下のような構成としている。すなわち、本発明に係るサインは、側面に蟻溝状の取付溝が設けられた支柱を用い、該支柱が二体用いられると共に各々の取付溝が相対向されて配置された支柱間に表示板が設けられたサインであって、前記取付溝は上下方向に同一断面の形状により延設され、該取付溝の上下方向に摺動可能に挿入された取付金具に挿通された取付ボルトにより前記支柱間より幅狭な表示板が取り付けられると共に、該取付ボルトを水平軸として前記表示板が回動可能となされていることを特徴とするものである。
【０００７】
本発明に係るサインによれば、取付ボルトを水平軸として表示板を回動させて、表示板の表示面を視認するのに最適な角度とできるが、更に取付溝により取付金具が上下方向に摺動可能となされていることで、表示板が取り付けられる高さをも任意のものとして、様々な状況に応じて表示板の表示内容を視認しやすくすることができる。
【０００８】
また前記支柱は、横長の形状となされ、該横長の先端部分に取付溝が設けられていれば、表示板を水平軸を中心に回動させる際に支柱の側面が邪魔になりにくくでき好ましい。
【発明の効果】
【０００９】
本発明に係るサインによれば、取付ボルトを水平軸として表示板を回動可能とし、表示板の表示面を視認するのに最適な角度とできるが、更に取付溝により取付金具が上下方向に摺動可能となされていることで、表示板が取り付けられる高さをも任意のものとして、様々な状況に応じて表示板の表示内容を視認しやすくすることができる。
【発明を実施するための最良の形態】
【００１０】
本発明に係わる最良の実施の形態について、図面に基づき以下に具体的に説明する。
【００１１】
図１は、本発明に係るサインの、実施の一形態を示すもので、（ａ）は正面図、（ｂ）は表示板の取付部分の詳細図である。まず（ａ）において、サイン１０は支柱１間に表示板２が取り付けられて形成されたものであり、表示板２は取付ボルト３により支柱１に取り付けられると共に、取付ボルト３が水平軸となって表示板２が支柱１に対して回動可能となされている。（ｂ）において、支柱１の側面には蟻溝状の取付溝４が設けられ、取付溝４内に挿入された取付金具５はボルト６１により本体１に取り付けられている。取付ボルト３は、取付金具５に挿通されると共に、その先端が開口部４１から外側に突出されて、表示板２に設けられた取付部材２１に挿通され、ナット３１が螺着されて取付金具５と取付部材２１とが固定されている。
【００１２】
ここで支柱１と表示板２とを固定する取付ボルト３は一体のみが用いられ、且つ表示板２が取付ボルト３を中心として回動した際に支柱１の側面が表示板２と当たらないよう、支柱１間より幅狭となされていることで表示板２は取付ボルト３を水平軸として支柱１に対して取付角度が回動可能となされている。
【００１３】
図２は、表示板２の支柱１への取付部分における横断面を示す断面図であり、（ａ）は図１（ｂ）におけるＡ−Ａ断面図、（ｂ）はＢ−Ｂ断面図である。まず（ａ）において、支柱１の断面形状は断面十字型となされており、表示板２の取り付け方向及びそれと鉛直方向に対しては横長の形状となされている。十字型の先端部分１１にそれぞれ取付溝４が設けられているが、支柱１はアルミニウムの押出形材からなるものであり、上下方向に同一断面が連続して形成されたものである。支柱１を形成する十字状の先端に取付溝４が各々設けられており、表示板２が設けられている以外の取付溝４はゴム製のカバー材４４が開口部４１の開口縁４３を覆って取り付けられている。
【００１４】
開口部４１より幅広となされた内空部４２に挿入された開口部４１より幅広の取付金具５は断面凸字状となされ、アルミニウムの押出形材により上下方向に同一断面にて形成されたものである。取付金具５の断面凸字状を形成する先端部５１が開口部４１に嵌着されると共に、凸字状を形成する根本部５２は内空部４２の内側面に接するようになされている。根本部５２の背面側にはボルト頭部又はナットを凹み部５３が設けられている。取付金具５の根本部５２にネジ孔５４が設けられ、ネジ孔５４に螺着された固定ボルト５５が内空部４２から支柱１の中心に向けて穿設された挿通孔４５に挿通されることで、取付金具５が取付溝４内で上下方向に動かないようになされている。取付溝４は、支柱１側面の上下方向全体に亘って設けられていることで、任意の場所に挿通孔４５を穿設して固定ボルト５５を挿通させることで取付金具５を支柱１側面の、上下方向の任意の位置に取り付けることが可能となされている。
【００１５】
次に（ｂ）において、表示板２の水平軸となる取付ボルト３は、ボルト頭部３１が取付金具５の凹み部５３内に嵌入され、ねじ部５２が取付金具５の水平方向に貫通して設けられた取付孔５６に挿通されると共に、ねじ部３２の先端が取付孔５６から外側に突出され、突出されたねじ部３２が更に表示板２の取付部材２１に設けられた貫通孔２１１、及び表示板２の周囲に設けられた枠体２２の貫通孔２２１に挿通され、貫通孔２２１から突出されたねじ部３２にナット３３が螺着されている。取付ボルト３が水平軸を兼ねていることで、ナット３３を緊結すれば表示板２の取付角度が固定され、ナット３３を緩めれば取付角度を調節することができる。
【００１６】
表示板２の枠体２２は断面Ｈ状となされ、断面Ｈ状を形成するウエーブ部２３に貫通孔２２１が設けられ、両フランジ部２４の表側に表示板２５が、裏側に背面板２６がビス２７により取り付けられている。フランジ部２４と表示板２５及び背面板２６との間にはスペーサー２８が設けられている。取付部材２１は断面凸字状となされ、凸字状の先端部分が表示板２側に向けられると共に、フランジ部２４の支柱１側の先端２４１は内側に折り曲げられ、先端２４１間に取付部材２１の凸字状先端が挿入されることで、フランジ部２４間に取付部材２１が嵌着されて、取付ボルト３が螺着された状態では取付部材２１が枠体２２に対して回動しない状態にて取り付けられている。
【００１７】
図３は、取付金具５と取付部材２１との他の例を示すもので、図２（ｂ）におけるＣ−Ｃ断面図である。取付金具５の先端部５１は上面が４５度に傾斜された傾斜面５１１となされ、取付部材２１の断面が四半円状となされると共にその下面２１２が傾斜面５１１に当接されており、表示板２の取付角度が４５度より浅くならないようになされると共に、取付部材２１を取付ボルト３を中心に回動させて表示板２を水平に対し４５〜９０度とできるようになされている。かかる形状の取付金具５及び取付部材２１を用いることで、回動自在な角度の範囲を任意に設定して、所望の表示板２の角度を自在且つ堅牢に得ることができる。
【図面の簡単な説明】
【００１８】
【図１】本発明に係るサインの、実施の一形態を示す説明図である。
【図２】図１に示したサインの、表示部が取り付けられた付近の横断面図である。
【図３】本発明に係るサインの、変形の一例を示す縦断面図である。
【符号の説明】
【００１９】
１    支柱
２    表示部
３    取付ボルト
４    取付溝
５    取付金具
１０  サイン
【図１】
2008256944.tif 000003
【図２】
2008256944.tif 000004
【図３】
2008256944.tif 000005